【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
第１のピクセルクロックレートに対応する、ビデオレートおよび１つまたは複数の範囲の第１のセットの表示にアクセスするステップと、
位相ロックループ回路で入力クロック信号を受信するステップと、
前記表示に応答して、前記入力クロック信号および１つまたは複数の範囲の第２のセットに基づいて第２のピクセルクロックレートを有する出力クロックを作成するステップと、
デジタル化されたビデオを受信するステップと、
前記範囲の第２のセットによって定義されるように前記デジタル化されたビデオを変更するために前記デジタル化されたビデオのビデオデータを変更するステップであって、前記ビデオデータを変更することは、前記デジタル化されたビデオの走査線あたりピクセル数を変更すること、または前記デジタル化されたビデオ内の走査線数を変更することの少なくとも１つを含むステップと
を備えたクロック生成回路を構成する方法。
【請求項２】
前記ビデオデータを変更することは、デジタル化されたビデオの走査線あたりピクセル数を変更することを含むことを特徴とする請求項１に記載の方法。
【請求項３】
前記デジタル化されたビデオの走査線あたりピクセル数を変更することは、水平帰線消去領域の幅を変更することを含むことを特徴とする請求項２に記載の方法。
【請求項４】
前記１つまたは複数の範囲の第１のセットは、前記デジタル化されたビデオ内の第１の走査線数および走査線あたりの第１のピクセル数を含み、
前記デジタル化されたビデオ内の前記第１の走査線数は、アクティブ領域および帰線消去領域を含み、
前記走査線あたりの前記第１のピクセル数は、アクティブ領域および帰線消去領域を含み、
前記ビデオデータを変更するステップは、前記デジタル化されたビデオ内の前記第１の走査線数を変更するステップを含む
ことを特徴とする請求項１に記載の方法。
【請求項５】
前記第１の走査線数を変更するステップは、垂直帰線消去領域の高さを変更するステップを含むことを特徴とする請求項４に記載の方法。
【請求項６】
位相ロックループ回路が前記第１のピクセルクロックレートの前記出力クロックを作成できないことを自動的に決定するステップと、
前記範囲の第２のセットを識別することを含む、前記デジタル化されたビデオの１つまたは複数の範囲に対して行われる変更を自動的に決定するステップと
をさらに備えたことを特徴とする請求項１に記載の方法。
【請求項７】
前記デジタル化されたビデオの新しい範囲に関するオプションを提供するステップと、
前記範囲の第２のセットに対応する、前記オプションのうちの１つの選択を受信するステップと
をさらに備えたことを特徴とする請求項１に記載の方法。
【請求項８】
前記デジタル化されたビデオの新しい範囲に関するオプションを提供するステップと、
前記範囲の第２のセットに対応する第１のオプションの選択を受信するステップと、
前記第１のオプションに従ってイメージを表示するステップと、
前記イメージが表示された後に受信され、前記デジタル化されたビデオを前記第１のオプションに従って変更する要求を受信するステップと
をさらに備えたことを特徴とする請求項１に記載の方法。
【請求項９】
前記表示へのアクセスの後に、前記位相ロックグループ回路が前記第１のピクセルクロックレートの前記出力クロックを作成できないことを自動的に決定するステップであって、出力を作成することは、前記位相ロックグループ回路が前記第１のピクセルクロックレートの前記出力クロックを作成できないことを決定することに応答して、前記位相ロックグループ回路によって実行されることを特徴とする請求項１に記載の方法。
【請求項１０】
前記位相ロックループ回路が前記第１のピクセルクロックレートの前記出力クロックを作成できないことを自動的に決定するステップは、前記位相ロックループ回路の達成可能モードのルックアップテーブルにアクセスするステップを含むことを特徴とする請求項９に記載の方法。
【請求項１１】
前記出力クロックを作成する位相ロックループ回路によって達成可能として前記第２のピクセルクロックおよび前記範囲の第２のセットを識別するステップと、
前記第２のピクセルクロックレートを達成するために前記位相ロックループ回路のパラメータを識別するステップと、
前記パラメータに従って前記位相ロックループ回路をプログラミングするステップと
をさらに備えたことを特徴とする請求項１に記載の方法。
【請求項１２】
前記第１のピクセルクロックレートを計算するステップと、
前記出力クロックを作成するために位相ロックループ回路を用いて前記範囲の第１のセットを使用して前記第１のピクセルクロックレートが達成可能でないことを決定するステップと、
前記位相ロックループ回路の達成可能な構成のセットを決定するステップと、
前記範囲の第２のセットに対応する、前記達成可能な構成の１つを選択するステップと
をさらに備えたことを特徴とする請求項１に記載の方法。
【請求項１３】
前記達成可能な構成の１つの選択するステップは、前記ビデオからビデオデータを減らす構成よりも前記ビデオにビデオデータを追加する構成を優先することを特徴とする請求項１２に記載の方法。
【請求項１４】
前記達成可能な構成の１つの選択するステップは、前記ビデオの走査線あたりのピクセル数を変更する構成よりも前記ビデオの走査線数を変更する構成を優先することを特徴とする請求項１２に記載の方法。
【請求項１５】
前記第１のピクセルクロックレートを計算するステップと、
前記第１のピクセルクロックレートに対応する前記事前に格納されたデータ内のデータを探すことを含む、許容される出力クロックレートを示す事前に格納されたデータにアクセスするステップと、
前記第１のピクセルクロックレートが許容されないと決定するステップと、
前記範囲の第２のセットに対応する、前記許容される出力クロックレートからの前記第２のピクセルクロックレートを選択するステップと
をさらに備えたことを特徴とする請求項１に記載の方法。
【請求項１６】
前記１つまたは複数の範囲の第１のセットは、走査線あたりピクセル数の値およびフレームあたり走査線数の値を含むことを特徴とする請求項１に記載の方法。
【請求項１７】
前記ビデオレートは、リフレッシュレートであることを特徴とする請求項１に記載の方法。
【請求項１８】
前記ビデオレートおよび１つまたは複数の範囲の第１のセットの表示は、ユーザによって提供されることを特徴とする請求項１に記載の方法。
【請求項１９】
前記ビデオレートおよび１つまたは複数の範囲の第１のセットの表示は、モニタによって提供されることを特徴とする請求項１に記載の方法。
【請求項２０】
前記ビデオレートおよび１つまたは複数の範囲の第１のセットの表示は、ストレージデバイスから読み取られることを特徴とする請求項１に記載の方法。
【請求項２１】
前記出力クロックは、ピクセルクロックであることを特徴とする請求項１に記載の方法。
【請求項２２】
前記出力クロックは、２ｘピクセルクロックであることを特徴とする請求項１に記載の方法。
【請求項２３】
前記出力クロックは、１２ｘピクセルクロックであることを特徴とする請求項１に記載の方法。
【請求項２４】
１つまたは複数のプログラマブル分周器のセットを含む位相ロックループ回路と、
前記１つまたは複数のプログラマブル分周器と通信する制御回路であって、第１のピクセルクロックレートに対応するビデオレートおよび１つまたは複数の範囲の第１のセットの選択にアクセスし、前記ビデオレートおよび前記１つまたは複数の範囲の第１のセットのアクセスされた前記選択に応答して、１つまたは複数の範囲の異なるセットに基づいて第２のピクセルクロックレートのピクセルクロックを作成するために前記プログラマブル分周器をプログラミングする制御回路と
を含むことを特徴とするクロック合成回路。
【請求項２５】
前記制御回路は、ＣＰＵ、ノースブリッジ、およびインターフェース回路を含むことを特徴とする請求項２４に記載のクロック合成回路。
【請求項２６】
入力ビデオを受信し、および前記ビデオレートおよび前記１つまたは複数の範囲の異なるセットに従って出力ビデオ信号を作成するビデオ処理回路をさらに含むことを特徴とする請求項２４に記載のクロック合成回路。
【請求項２７】
前記ビデオ処理回路は、前記出力ビデオ信号を作成するために、前記入力ビデオの走査線数を変更することを特徴とする請求項２６に記載のクロック合成回路。
【請求項２８】
前記ビデオ処理回路は、前記出力ビデオ信号を作成するために、前記入力ビデオの走査線あたりのピクセル数を変更することを特徴とする請求項２６に記載のクロック合成回路。
【請求項２９】
前記１つまたは複数の範囲の第１のセットは、前記ビデオ内の第１の走査線数および走査線あたりの第１のピクセル数を含み、
前記ビデオ内の前記第１の走査線数は、アクティブ領域および帰線消去領域を含み、
走査線あたりの前記第１のピクセル数は、アクティブ領域および帰線消去領域を含み、
前記ビデオ処理回路は、水平帰線消去領域の幅を変更することによって、走査線あたり前記第１のピクセル数を変更する
ことを特徴とする請求項２４に記載のクロック合成回路。
【請求項３０】
前記制御回路は、レジスタのセットを含み、前記レジスタは、前記分周器を制御する値を格納し、前記制御回路は、前記レジスタにデータをロードすることによって前記分周器をプログラミングすることを特徴とする請求項２４に記載のクロック合成回路。
【請求項３１】
前記制御回路は、前記位相ロックループ回路が前記第１のピクセルクロックレートを実施できないことを自動的に決定し、決定に応答して前記第２のピクセルクロックレートを選択することを特徴とする請求項２４に記載のクロック合成回路。
【請求項３２】
前記制御回路は、前記位相ロックループ回路が、前記第１のピクセルクロックレートを実施できないことを決定し、前記第１のセットの範囲の１つまたは複数を変更することによって前記位相ロックループを使用して実施できるピクセルクロックレートのセットを決定し、および実施できるピクセルクロックレートの前記セットから、前記１つまたは複数の範囲の第２のセットに対応する前記第２のピクセルクロックレートを選択することを特徴とする請求項２４に記載のクロック合成回路。
【請求項３３】
位相ロックループ回路を含むクロック生成回路を構成する方法であって、
第１のピクセルクロックレートに対応する、ビデオレートおよび１つまたは複数の範囲の第１のセットの表示にアクセスするステップと、
前記位相ロックループ回路を使用して前記第１のピクセルクロックレートを実施してはならないこと決定するステップと、
前記第１のセットの範囲の１つまたは複数を変更することによって前記位相ロックループ回路を使用して実施できるピクセルクロックレートのセットを決定するステップと、
１つまたは複数の範囲の第２のセットに対応する、実施できるピクセルクロックレートの前記セットからの第２のピクセルクロックレートを選択するステップと、
前記範囲の第２のセットに基づいて前記位相ロックループ回路を使用して前記第２のピクセルクロックレートの出力クロックを提供するステップと
を備えたことを特徴とする方法。
【請求項３４】
第１のビデオを受信するステップと、
前記第１のビデオに基づいて、前記範囲の第２のセットによって定義される出力ビデオを提供するステップと
をさらに備えたことを特徴とする請求項３３に記載の方法。
【請求項３５】
前記出力クロックを提供するステップは、フレームの追加または削除なしで実行されることを特徴とする請求項３４に記載の方法。
【請求項３６】
表示にアクセスする前記ステップ、前記第１のピクセルレートを実施してはならないと決定する前記ステップ、ピクセルクロックレートのセットを決定する前記ステップ、および出力クロックを提供する前記ステップは、自動的に実行されることを特徴とする請求項３３に記載の方法。
【請求項３７】
前記選択するステップは、
ビデオの新しい範囲に関するオプションを提供するステップと、
前記範囲の第２のセットに対応する第１のオプションの選択を受信するステップと、
前記第１のオプションに従ってイメージを表示するステップと、
前記イメージが表示された後に受信され、前記第１のオプションを進行する要求を受信するステップと、
進行する前記要求に応答して、前記範囲の第２のセットに従うように出力ビデオを自動的に構成するステップと
を含むことを特徴とする請求項３３に記載の方法。
【請求項３８】
前記選択するステップは、前記第２のピクセルクロックレートが実施できるピクセルクロックレートの前記セットに関して前記第１のピクセルクロックレートからの変更を最小にするので、前記第２のピクセルクロックレートを自動的に選択するステップを含むことを特徴とする請求項３３に記載の方法。
【請求項３９】
前記位相ロックループ回路を使用して前記第１のピクセルクロックレートを実施してはならないと決定するステップは、前記第１のピクセルクロックレートをピクセルクロックレートの事前に格納されたセットと比較するステップを含むことを特徴とする請求項３３に記載の方法。